(57)【要約】【課題】伝統的な技法の押絵のもつ立体感だけでなく、人物全体に自然な立体感を付与するとともに、リアリテイのある人物を有し、また耐久性と安定性のある人物を有する羽子板などの飾り物を提供する。【解決課題】複数の押絵を組み合わせ一体的に形成された衣装部１と、衣装１を配置する板部２５と、衣装部１の裏面に配置された柱状保持部１０と、立体構造の頭部３０とを備え、凸状に湾曲するアーチ状の衣装部１を板部２５に配置し、衣装部１の上部から柱状保持部１０に保持された頭部３０が突設する人物２９を有する。【選択図】図１
2008173418.tif 000002
【特許請求の範囲】
【請求項１】
複数の押絵を組み合わせ一体的に形成された衣装部と、衣装部を配置する板部と、衣装部の裏面に配置された柱状保持部と、立体構造の頭部とを備え、凸状に湾曲するアーチ状の衣装部を板部に配置し、衣装部の上部から柱状保持部に保持された頭部が突設する人物を有する羽子板などの飾り物。
【請求項２】
複数の押絵を組み合わせ一体的に形成された衣装部と、衣装部を配置する板部と、立体構造の頭部と、頭部から連設された円柱状の首部と、首部から垂下した頭部の支持棒と、衣装部の裏面でありかつ上部中央部に配置された柱状保持部と、衣装部と柱状保持部との間に配設された非押絵構造の襟部とを備え、凸状に湾曲するアーチ状の衣装部の両側縁を板部に固定する一方、頭部の支持棒を介して頭部を柱状保持部に保持し、板部と離間する衣装部の上部中央部から柱状保持部に保持された頭部が突設する人物を有する羽子板などの飾り物。
【請求項３】
複数の押絵を組み合わせ一体的に形成された衣装部と、衣装部を配置する板部と、立体構造の頭部と、頭部から連設された円柱状の首部と、首部から垂下した頭部の支持棒と、衣装部の裏面でありかつ上部中央部に配置された柱状保持部と、衣装部と柱状保持部との間に配設された非押絵構造の襟部とを備え、凸状に湾曲するアーチ状の衣装部の両側縁を板部に固定する一方、襟部を介して衣装部と柱状保持部を固着し、板部と離間する衣装部の上部中央部から柱状保持部に保持された頭部が突設する人物を有する羽子板などの飾り物。
【請求項４】
複数の押絵を組み合わせ一体的に形成された衣装部と、衣装部を配置する板部と、立体構造の頭部と、厚紙などの適宜な剛性を有する帯状部を巻回して形成された中心孔を有する首部挿入部と、複数の帯状の襟部構成部を首部挿入部の外周に順次重ね合わせ巻回した襟部と、首部挿入部に挿入される首部から垂下した頭部の支持棒と、支持棒を介して頭部を保持する柱状保持部とを備え、凸状に湾曲するアーチ状の衣装部の少なくとも両側縁を板部に固定する一方、襟部を介して衣装部と柱状保持部を固着し、板部と離間する衣装部の上部中央部から柱状保持部に保持された頭部が突設する人物を有する羽子板などの飾り物。
【請求項５】
複数の帯状の襟部構成部からなる前記襟部は、首部挿入部外周に順次重ね合わせ巻回された襟部構成部の下部を柱状保持部の表面で互いに交差して配置し、柱状保持部に巻きつけ接着した請求項３又は４に記載の羽子板などの飾り物。
【請求項６】
複数の帯状の襟部構成部からなる前記襟部は、首部挿入部外周に順次重ね合わせ巻回された襟部構成部の下部を柱状保持部の表面で互いに交差して配置し、衣装部の裏面と柱状保持部の表面にそれぞれ接着した請求項３又は４に記載の羽子板などの飾り物。
【請求項７】
衣装部の一部を柱状保持部の上端面より上方位置でありかつ襟部の両側に配置し、衣装を纏った人物の肩部を構成する請求項３、４、５又は６に記載の羽子板などの飾り物。
【請求項８】
肩部を構成する衣装部の一部を柱状保持部の裏面側へ反転して延設し、衣装を纏った人物の背部を構成する請求項７に記載の羽子板などの飾り物。
【発明の詳細な説明】
【技術分野】
【０００１】本発明は羽子板などの飾り物、特に男女の人物像を現した羽子板などの飾り物にかんする。
【背景技術】
【０００２】羽子板において板上に配置される男、女の人物の衣装は押絵という構成要素の組み合わせから構成されている。羽子板は、伝統的には遊戯具の一種であるが、近来では飾り物として用いられることが一般的である。飾り物としての観点からは衣装を含む人物をいかに立体的に表現するかが肝要である。押絵は本来、人物の衣装を立体的に表現する伝統的な技法の１つであるが、押絵による立体的表現を追及していくと押絵の厚みが必然的に大きくなる。しかし厚みが大きくなりすぎると組み合わされた押絵同士の接着がうまくゆかず、また衣装の仕上がりがよくないなどの弊害がある。
【特許文献】特開平８−２４３１９９号公報
【発明の開示】
【発明が解決しようとする課題】
【０００３】このような事情の下、本発明が解決しようとする課題は、伝統的な技法の押絵のもつ立体感だけでなく、さらに人物全体に自然な立体感を付与するとともに、リアリテイのある人物を有する羽子板などの飾り物を提供することにある。また耐久性と安定性のある人物を有する羽子板などの飾り物を提供することにある。
【課題を解決するための手段】
【０００４】この課題を解決するため、本発明にかかる羽子板などの飾り物においては、複数の押絵を組み合わせ一体的に形成された衣装部と、衣装部を配置する板部と、衣装部の裏面に配置された柱状保持部と、立体構造の頭部とを備え、凸状に湾曲するアーチ状の衣装部を板部に配置し、衣装部の上部から柱状保持部に保持された頭部が突設する人物を有する。【０００５】また複数の押絵を組み合わせ一体的に形成された衣装部と、衣装部を配置する板部と、立体構造の頭部と、頭部から連設された円柱状の首部と、首部から垂下した頭部の支持棒と、衣装部の裏面でありかつ上部中央部に配置された柱状保持部と、衣装部と柱状保持部との間に配設された非押絵構造の襟部とを備え、凸状に湾曲するアーチ状の衣装部の両側縁を板部に固定する一方、頭部の支持棒を介して頭部を柱状保持部に保持し、板部と離間する衣装部の上部中央部から柱状保持部に保持された頭部が突設する人物を有する。【０００６】また複数の押絵を組み合わせ一体的に形成された衣装部と、衣装部を配置する板部と、立体構造の頭部と、頭部から連設された円柱状の首部と、首部から垂下した頭部の支持棒と、衣装部の裏面でありかつ上部中央部に配置された柱状保持部と、衣装部と柱状保持部との間に配設された非押絵構造の襟部とを備え、凸状に湾曲するアーチ状の衣装部の両側縁を板部に固定する一方、襟部を介して衣装部と柱状保持部を固着し、板部と離間する衣装部の上部中央部から柱状保持部に保持された頭部が突設する人物を有する。【０００７】また複数の押絵を組み合わせ一体的に形成された衣装部と、衣装部を配置する板部と、立体構造の頭部と、厚紙などの適宜な剛性を有する帯状部を巻回して形成された中心孔を有する首部挿入部と、複数の帯状の襟部構成部を首部挿入部の外周に順次重ね合わせ巻回した襟部と、首部挿入部に挿入される首部から垂下した頭部の支持棒と、支持棒を介して頭部を保持する柱状保持部とを備え、凸状に湾曲するアーチ状の衣装部の少なくとも両側縁を板部に固定する一方、襟部を介して衣装部と柱状保持部を固着し、板部と離間する衣装部の上部中央部から柱状保持部に保持された頭部が突設する人物を有する。【０００８】そして複数の帯状の襟部構成部からなる襟部は、首部挿入部外周に順次重ね合わせ巻回された襟部構成部の下部を柱状保持部の表面で互いに交差して配置し、柱状保持部に巻きつけ接着してる。また複数の帯状の襟部構成部からなる襟部は、首部挿入部外周に順次重ね合わせ巻回された襟部構成部の下部を柱状保持部の表面で互いに交差して配置し、衣装部の裏面と柱状保持部の表面にそれぞれ接着してある。【０００９】また衣装部の一部を柱状保持部の上端面より上方位置でありかつ襟部の両側に配置し、衣装を纏った人物の肩部を構成する。そして肩部を構成する衣装部の一部を柱状保持部の裏面側へ反転して延設し、衣装を纏った人物の背部を構成する。
【発明の効果】
【００１０】本発明の羽子板などの飾り物では押絵構造により衣装部が優雅な立体感を保持するだけでなく、アーチ状に湾曲する衣装部と立体構造の頭部が全体として自然でリアリテイのある立体感を付与し、商品価値を高める。また押絵構造の衣装部は柱状保持部に補強されるから破損や変形の惧れがなく、耐久性と安定性のある飾り物となる。
【発明を実施するための最良の形態】
【００１１】本発明にかかる飾り物、特に飾り物が羽子板である場合の実施の形態について図面を参照して説明する。羽子板３３は板部２５上に衣装部１を纏う人物２９が配設されている。衣装部１は複数の押絵２を適宜に組み合わせて構成された押絵構造である。押絵は所定の形状の厚紙などを布などで包むとともに中に綿などの充填物を入れて高低をつけたものである（公知の構造）。すなわち押絵２を組み合わせその縁部を互いに接着し全体が一体に形成された衣装部１は、全体的としてほぼ一定の厚みを有しほぼ平板状である（図７、８、１０、１１参照、なお衣装部の断面は個々の押絵を具体的に明示しないで、説明的に全体が一体に表してある）。押絵２の集合体からなる衣装部１は裏面に紙、布などの補強部材３を接着し、一体としての衣装部１を裏面側から補強することができる（図２参照）。しかし衣装部１は必ずしも全部が押絵構造である必要はなく、ほぼ上半部など衣装部の主要な部分を押絵構造とすればよい。そこで、例えば、袖部１５は非押絵構造としてもよいが、襟部５は、後記のように、非押絵構造とする。【００１２】首部挿入部６は中心孔９を有し、厚紙などの適宜な剛性を有する帯状部７を巻回して形成されている。また襟部５が首部挿入部６に一体に固着されている。襟部５は、首部挿入部６、つまり巻回された帯状部７の外周に複数の襟部構成部１２を順次重ね合わせ巻回したものである。襟部構成部１２は布帛などを折り返して形成されたほぼ同幅の帯状である。襟部構成部１２の内側に紙などの芯材を配置してもよいが、綿などの充填物はなく全体としてほぼ扁平である。すなわちこのような襟部構成部１２から形成される襟部５は押絵構造でない（非押絵構造）。首部挿入部６の外周に巻回された襟部構成部１２は隣接する襟部構成部１２の側縁（図５、６参照）をそれぞれ若干ずらして配置してあり、これにより表面側において襟部構成部１２の側縁が順次露呈する十二単衣や束帯などの襟部５が形成される（図１、６参照）。隣接する襟部構成部１２はそれぞれ接着して一体に接着され、最内側の襟部構成部１２がさらにその内側にある首部挿入部６を構成する帯状部７に接着されている。【００１３】衣装部１の裏面には上部中央部に柱状保持部１０が配設してある（図３、４参照）。柱状保持部１０は多数の藁片１７を集合し紐１１で結束したものである。図示の場合は断面形状が円形あるいは楕円形のほぼ円柱状であるが、断面形状を角形などの角柱状としてもよい。また断面形状をほぼ半円形とすることもでき、柱状保持部１０の形状は任意である。円柱状の柱状保持部１０の表面は全体的に湾曲状である。柱状保持部１０の上部は上端面１３に向けて縮径してあり、上端面１３に首部挿入部６が配置されている。また柱状保持部１０の下端は衣装部１のほぼ上半部の位置まで延びている。前記のように、衣装部１のほぼ上半部などの衣装部の主要な部分は押絵構造であるが、衣装部１において、少なくとも裏面に配置される柱状保持部１との対応部分は押絵構造とするのが好ましい。【００１４】多数の糸状材からなる頭髪を有する頭部３０は、通常の人形と同じくほぼ球状の立体構造である。頭部３０から連設される首部３１もほぼ円柱状の立体構造である。そして首部３１より垂下する支持棒３２を首部挿入部の中心孔９に挿入し、さらに上端面１３から柱状保持部１０へと支持棒３の下端を押入すると、首部３１が首部挿入部の中心孔９に装着されるとともに、支持棒３２を介して立体構造の頭部３０が柱状保持部１０に保持される。すなわち柱状保持部によってその上端面１３の上方に構成されるスペースＳ１を利用し、ほぼ球状の立体構造の頭部３０が衣装部１の上部中央部から上方に突設される（図６参照）。なお柱状保持部は、前記のように、集合された多数の藁片１７を紐１１で結束したものであるが（図４参照）、頭部が保持される構造であればよいから、金属、木材、合成樹脂などの素材からなる筒状部内に多数の藁片を集合し、集合された藁片の部分に支持棒を挿着することにより頭部を保持してもよい（図示せず）。【００１５】衣装部１は襟部５を連結部材として柱状保持部１０に固着される。まず襟部５が柱状保持部１０と固着される。すなわち、襟部５は、前記のように、首部挿入部６の外周に巻回された帯状の襟部構成部１２から構成されるが、襟部構成部の一方の下部１９と他方の下部１９が柱状保持部１０の表面で交差している。交差した襟部構成部の下部１９は柱状保持部１０に巻きつけ、その裏面が柱状保持部１０の表面に接着してあり、これにより襟部５が柱状保持部１０に固着される（図５、６参照）。この場合、結束された多数の藁材からなるざらつきのある柱状保持部１０の表面に襟部構成部１２が接着されること、柱状保持部１０の湾曲状の表面に襟部構成部の交差する下部１９が巻きつけるように接着されることから、襟部５は柱状保持部１０に強固に固着される。次に、襟部５が衣装部１に固着される。すなわち、襟部５の表面の一部、つまり襟部５を構成する襟部構成部１２はその一部が衣装部１の裏面と部分的に当接しており、その当接面を接着することにより衣装部１が襟部５に固着される（図１０、１１参照）。この場合、襟部構成部１２は非押絵構造であること、側縁を順次ずらした複数の襟部構襟部１２が衣装部１にそれぞれ接着されることから、襟部５が衣装部１に強固に固着される。このように、押絵を組み合わせた押絵構造の衣装部１は非押絵構造の襟部５を介して柱状保持部１０に強固に固着され、衣装部の安定性と耐久性が強化される。【００１６】衣装部１は取り付け部材２７を介して両側縁を板部２５に固定される。両側縁の任意箇所を釘などでの取り付け部材２７で板部２５に固定するが、さらに衣装部１の下縁を釘２７で固定してもよい（図１０、１１参照）。板部２５に固定された押絵構造の衣装部１は板部２５との間に離間スペースＳ２を生じ、板部２５に対して外側凸状の湾曲状に配置されている。すなわち離間スペースＳ２を適宜に設定して衣装部１の湾曲度が調整されるが、図７に示されるスペースＳ２では柱状保持部１０の裏面が板部２５に当接し、衣装部１の湾曲度はさほど大きくない。図８に示されるスペースＳ２では柱状保持部１０の裏面が板部２５に当接しないで離間しており、衣装部１の湾曲度はかなり大きい。また板部２５との離間をさらに小さくし、衣装部１の湾曲度をさらに緩やかにするため板部２５に凹部２３を形成し、柱状保持部１０の裏面側が凹部２３内に位置するようにしてもよい（図１２参照）。【００１７】板衣装部１の裏面でありかつ中央部２６において上下方向（図３、４参照）に配置された柱状保持部１０が湾曲する衣装部１を裏側から補強的に保持する。部２５の幅方向にアーチ状に配置された衣装部１はその中央部２６が最高部位あるいはほぼ最高部位に近い位置にする（図７、８参照）。湾曲する衣装部１には湾曲の状況によって部分的な破損や不要な変形が生ずることがあるが、柱状保持部１０は破損や変形を生じやすい押絵構造の衣装部の中央部２６を補強的に保持するのに特に有効である。【００１８】衣装部１はその一部１６が柱状保持部の上端面１３の両側に延設され、肩部２１が形成される。すなわち衣装部の一部１６を柱状保持部の上端面１３より上方位置でありかつ襟部５の両側に配置し、衣装１を纏った人物の肩部２１が構成される。このような肩部２１は柱状保持部１０の厚みにより自然な厚みと立体感があり、また衣装部と板部２５との間のスペースＳ２の上方を遮蔽し、上方から柱状保持部１０などが目視されない。また衣装部の一部１６は肩部２１からさらに裏面側に反転する。すなわち肩部２１を構成する衣装部の一部１６が柱状保持部１０の裏面側へ反転して延設され、衣装を纏った人物の背部２２が構成される（図１０、１１参照）。肩部２１から連続する背部２２は人物の側面側から目視可能であるが、これにより、リアリテイのある人物が構成される。なお衣装部の一部１６により構成される肩部２１および／又は背部２２は、非押絵構造としてもよい。【００１９】背部２２は板部２５および／または柱状保持部１０に接着などで固着される。すなわち背部２２の前面を柱状保持部１０の裏面に接着するとともに背部２２の後面を板部２５に接着する（図１０参照）。この場合、柱状保持部１０は背部２２を介して板部２５に接着され、衣装部１が安定して板部２５に固着される。さらには背部２２は柱状保持部１０と非接着としてもよい（図１１参照）。この場合、両側縁を板部２５に固定された衣装部１はアーチ状に高く配置することができ、さらに立体感のある衣装部１が構成される。柱状保持部１０は衣装部１の中央部に固着されているが、藁材の集合体からなる柱状保持部１０は比較的に軽量であり、また前記のように、襟部５を介して衣装部１を柱状保持部１０に固着することにより、アーチ状に湾曲する衣装部１、とくに中央部２６およびその近辺が不要に変形することはない。また背部の下端２０の位置は任意であり、例えば、背部の下端２０は、柱状保持部の上端面１３から柱状保持部１０全体のほぼ３分の１程度の位置まで延びている（図４、１０参照）。少なくとも柱状保持部１０全体のほぼ半分程度の位置まで延びていれば十分である（図１１参照）。【００２０】羽子板における人物２９は１体だけに限られず、２体以上の人物を上下方向あるいは横方向になど適宜に配設してもよい（図示せず）。またこのような構造は羽子板だけでなくその他の飾りにも適用することができる。例えば、矩形状の板部上に同様な構造の人物を配設したものとしてもよい（図示せず）。
【図面の簡単な説明】
【００２１】
【図１】本発明にかかる飾り物であり、人物を有する羽子板の正面図である。
【図２】押絵からなる同人物の衣装部の背面図である。
【図３】柱状保持部が配置された衣装部の背面図である。
【図４】柱状保持部が配置され、かつ首部挿入部と背部を設けた衣装部の背面図である。
【図５】複数の襟部構成部からなり、柱状保持部に巻回される襟部を前方からみた説明的な拡大斜視図である。
【図６】複数の襟部構成部からなり、柱状保持部襟部に巻回された襟部と、分離状態の頭部（想像線による）とを説明的な拡大斜視図である。
【図７】板部に固定された衣装部と、襟部を介して柱状保持部に固着された衣装部とを示す拡大断面図である。
【図８】板部に固定された衣装部と、襟部を介して柱状保持部に固着された他の構造の衣装部とを示す拡大断面図である。
【図９】板部に固定された衣装部（但し頭部を取り除いた状態）を上方からみた拡大平面図である。
【図１０】板部に固定された人物の中央部における説明的な縦断面図である。
【図１１】板部に固定された他の構造の人物の中央部における説明的な縦断面図である。
【図１２】凹部を有する板部と柱状保持部襟部との配置関係を示す拡大断面図である。
【符号の説明】
【００２２】    １  衣装部
２  押絵
３  補強部材
５  襟部
６  首部挿入部
７  帯状部
９  中心孔
１０  柱状保持部
１１  紐
１２  襟部構成部
１３  保持部の上端面
１５  袖部
１６  衣装部の一部
１７  藁材
１９  襟部構成部の下部
２０  背部の下端
２１  肩部
２２  背部
【図１】
2008173418.tif 000003
【図２】
2008173418.tif 000004
【図３】
2008173418.tif 000005
【図４】
2008173418.tif 000006
【図５】
2008173418.tif 000007
【図６】
2008173418.tif 000008
【図７】
2008173418.tif 000009
【図８】
2008173418.tif 000010
【図９】
2008173418.tif 000011
【図１０】
2008173418.tif 000012
【図１１】
2008173418.tif 000013
【図１２】
2008173418.tif 000014